(57)【要約】【課題】所定領域をドロップアウトカラーで記録することが可能な原稿読取記録装置を提供すること。【解決手段】所定のマーク２００を含む画データが受信された場合には、所定のマーク２００で示された所定領域以外は、通常通り記録部で記録紙に記録され、所定のマーク２００で示された所定領域の画データが予め設定したドロップアウトカラー（緑色）で記録紙に記録される。このとき、所定領域の画データがいずれの色に設定されていても、予め設定したドロップアウトカラーで記録紙に記録される。また、所定のマーク２００は、所定領域のデータをドロップアウトカラーで記録するためのものであるため、所定のマーク２００自体が記録紙に記録されることはない。従って、パソコンで原稿を作成するときに、所定のマーク２００を付することによって、所定領域をドロップアウトカラーで記録紙に記録することができる。【選択図】　　図３
2004023529.tif 000002
【特許請求の範囲】
【請求項１】
画データを受信する受信手段と、画データを記録紙に記録する記録手段と、受信手段で受信した画データに所定のマークが付されている場合には、そのマークで示された所定領域をドロップアウトカラーで記録手段に記録させる制御手段とを備えた原稿読取記録装置。
【請求項２】
カラー原稿を読み取る読取手段と、所定領域を入力する入力手段と、読取手段での読取時に入力手段で入力された所定領域をドロップアウトさせる制御手段とを備えた原稿読取記録装置。
【請求項３】
請求項２に記載の原稿読取記録装置において、ドロップアウトカラーを指定する指定手段を備え、制御手段は、読取手段での読取時に所定領域の画データから指定された色をドロップアウトする原稿読取記録装置。
【発明の詳細な説明】
【０００１】
【発明の属する技術分野】
本発明は、複写機能付きファクシミリ装置（以下、複合機という）等に代表される原稿読取記録装置に関し、所定領域をドロップアウトすることに特徴を有する原稿読取記録装置に関するものである。
【０００２】
【従来の技術】
ファクシミリ装置では、原稿上のすべての画データを読み取って相手先に送信している。このため、例えば罫線が原稿上に記録されている場合には、その罫線のために送信画データ量が多くなる。特に、読取時に原稿が斜行した場合には、送信画データ量が極端に大きくなることが知られている。
【０００３】
そこで、送信画データ量を低減させるために、読取時の光源の色（例えば、緑色）と同一の色で罫線を作成して、その罫線（緑色）を読み取らないようにする、いわゆるドロップアウトカラーで罫線を作成するのが一般的である。
【０００４】
【発明が解決しようとする課題】
しかしながら、読取時には原稿の全体が読み取られる。このため、例えば原稿上の一部にカラー写真等が含まれているような場合には、その写真を構成する色（緑色）までドロップアウトされることとなる。その結果、本来の読み取る必要がある色（緑色）までもが読み取られないこととなる。一方、パソコン等で作成した原稿（例えば、罫線を含む原稿や帳票等）の一部のみを、読取時にドロップアウトさせるために、ドロップアウトしたい部分（罫線等）を任意の色で作成したい場合もある。
【０００５】
本発明は、このような問題点に着目してなされたものであって、その目的は、下記の通りである。
［１］所定領域をドロップアウトカラーで記録することが可能な原稿読取記録装置を提供することにある。
【０００６】
［２］所定領域をドロップアウトして読み取ることが可能な原稿読取記録装置を提供することにある。
【０００７】
【課題を解決するための手段】
上記の目的を達成するために、請求項１に記載の発明では、画データを受信する受信手段と、画データを記録紙に記録する記録手段と、受信手段で受信した画データに所定のマークが付されている場合には、そのマークで示された所定領域をドロップアウトカラーで記録手段に記録させる制御手段とを備えた。
【０００８】
請求項２に記載の発明では、カラー原稿を読み取る読取手段と、所定領域を入力する入力手段と、読取手段での読取時に入力手段で入力された所定領域をドロップアウトさせる制御手段とを備えた。
【０００９】
請求項３に記載の発明では、請求項２に記載の原稿読取記録装置において、ドロップアウトカラーを指定する指定手段を備え、制御手段は、読取手段での読取時に所定領域の画データから指定された色をドロップアウトする。
【００１０】
【発明の実施の形態】
以下に、本発明に係る原稿読取記録装置を複合機に具体化した一実施形態について図面を用いて説明する。
【００１１】
図１に示すように、複合機１と、複数のパソコン２とは、通信ネットワークＴを介して接続されている。
複合機１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０及びインターフェース１２０から構成されるとともに、各部１０〜１２０がバス１３０を介してそれぞれ接続されている。
【００１２】
ＭＰＵ１０は、複合機１を構成する各部を制御する。ＲＯＭ２０は、複合機１を制御するためのプログラムを記憶する。ＲＡＭ３０は、複合機１に関する各種情報を一時的に記憶する。
【００１３】
読取部４０は、原稿上の画像データを読み取って、カラーの画データ、すなわちＲＧＢ信号毎に２５６階調（８ビット）の画データを出力する。そして、モノクロのファクシミリ装置として使用する設定の場合には、カラーの画データを所定の閾値で白黒２値のイメージデータとして出力する。記録部５０は、電子写真方式のカラープリンタよりなり、ＦＡＸ受信した画データや、コピー動作において読取部４０にて読み取った原稿の画データ等を、記録紙上に記録する。
【００１４】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３を備えている。また、操作部６０は、電話番号又はコピー部数等を入力するためのテンキー（＊，＃キーを含む）６４、原稿の読み取り動作を開始させるためのスタートキー６５等の各種操作キーを備えている。ＬＣＤ等よりなる表示部７０は、複合機１の動作状態等の各種情報の表示を行う。
【００１５】
画像メモリ８０は、受信画データや読取部４０で読み取った画データを一時的に記憶する。コーデック９０は、読取部４０にて読み取った画データを送信のためにＭＨ，ＭＲ，ＭＭＲ方式等により符号化（エンコード）する。また、コーデック９０は、受信画データを復号（デコード）する。
【００１６】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１７】
インターフェース１２０は、ＴＣＰ／ＩＰの通信プロトコル等に基づいて、通信ネットワークＴを介して複合機１とパソコン２との間の制御を行う。
次に、パソコン２等で作成された原稿を通信ネットワークＴを介して複合機１で記録紙に記録するときの動作について、図２に示すフローチャート及び図３、図４に示す説明図を用いて説明する。なお、複合機１の動作は、ＲＯＭ２０に記憶されたプログラムに基づき、ＭＰＵ１０の制御により実行される（以下、複合機１の動作の動作に同じ）。
【００１８】
さて、パソコン２から通信ネットワークＴを介して画データが複合機１で受信されると（Ｓ１でＹＥＳ）、その画データに所定のマーク２００（例えば、『，』）が含まれているか否かが判断される（Ｓ２）。所定のマーク２００が含まれていない場合は（Ｓ２でＮＯ）、受信された画データを通常通り記録部５０で記録紙に記録する（Ｓ３）。
【００１９】
一方、図３に示すように、受信された画データに所定のマーク２００が含まれている場合は（Ｓ２でＹＥＳ）、所定のマーク２００で示された所定領域以外は、通常通り記録部５０で記録され、所定のマーク２００で示された所定領域の画データが、予め設定したドロップアウトカラーで記録紙に記録される（Ｓ４）。すなわち、所定のマーク２００で示された所定領域の画データが、いずれの色に設定されていても、予め設定したドロップアウトカラーで記録紙に記録される。
【００２０】
具体的には、図３で示す所定のマーク２００で示された所定領域の罫線が、図４に示すように、ドロップアウトカラー（例えば、緑色）で記録紙に記録される。すなわち、罫線がいずれの色で作成されていても、ドロップアウトカラーで記録紙に記録される。なお、所定のマーク２００は、所定領域のデータをドロップアウトカラーで記録紙に記録するためのものであるため、所定のマーク２００自体が記録紙に記録されることはない。
【００２１】
次に、このように作成された原稿を読取部４０で読み取るときの動作について、図５に示すフローチャート及び図６に示す説明図を用いて説明する。
さて、上述のようにドロップアウトカラーで記録された所定領域を含む原稿が読取部４０に載置され、スタートキー６５が操作されると（Ｓ１１でＹＥＳ）、原稿上の画データが読取部４０で読み取られる（Ｓ１２）。このとき、ドロップアウトカラー（例えば、緑色）で記録された所定領域の画データは、読み取られることはない。すなわち、所定領域のドロップアウトカラー（緑色）の罫線は、光源の色（緑色）と同一であるため、読み取られない。その結果、ドロップアウトカラー（緑色）で記録された画データが、読取後の画データに含まれることはない。従って、読取後の画データ量は、読取前の画データよりも減少する。
【００２２】
また、所定領域の罫線を利用して、手書きした後、ＦＡＸ送信した場合であっても、所定領域の罫線が読み取られないため、罫線がない原稿と比べても読取時間、通信時間、及び通信費用が増加することもない。しかも、所定領域のドロップアウトカラー（緑色）の罫線が読み取られないため、受信側で受信画データを記録紙に記録しても、図６に示すように、所定領域のドロップアウトカラー（緑色）の罫線が記録されることもない。
【００２３】
以上、詳述したように本実施形態によれば、次のような作用、効果を得ることができる。
（１）所定のマーク２００を含む画データが複合機１で受信された場合には、所定のマーク２００で示された所定領域以外は、通常通り記録部５０で記録紙に記録され、所定のマーク２００で示された所定領域の画データが予め設定したドロップアウトカラー（緑色）で記録紙に記録される。このとき、所定領域の画データがいずれの色に設定されていても、予め設定したドロップアウトカラーで記録紙に記録される。また、所定のマーク２００は、所定領域のデータをドロップアウトカラーで記録するためのものであるため、所定のマーク２００自体が記録紙に記録されることはない。従って、パソコン２で原稿を作成するときに、所定のマーク２００を付することによって、所定領域をドロップアウトカラーで記録紙に記録することができる。
【００２４】
（２）前記（１）のようにドロップアウトカラーで記録された所定領域を含む原稿が読取部４０で読み取られると、ドロップアウトカラー（緑色）で記録された所定領域の画データは、読み取られることはない。従って、所定領域をドロップアウトして読み取ることができる。
【００２５】
（３）加えて、ドロップアウトカラー（緑色）で記録された画データが、読取後の画データに含まれることはない。このため、読取後の画データ量は、読取前の画データよりも減少する。その結果、所定領域の罫線を利用して、手書きした後、ＦＡＸ送信した場合であっても、所定領域の罫線が読み取られないため、罫線がない原稿と比べても、読取時間、通信時間、及び通信費用が増加することもない。
【００２６】
（４）しかも、所定領域のドロップアウトカラー（緑色）の罫線が読み取られないため、受信側で受信画データを記録紙に記録しても、所定領域のドロップアウトカラー（緑色）の罫線が記録されることもない。
【００２７】
なお、前記実施形態は、次のように変更して具体化することも可能である。
・前記実施形態では、所定領域の対角を所定のマーク２００（例えば、『，』）で示す構成であったが、所定領域の四隅を所定のマーク（例えば、┌，┐，└，┘）で示す構成にしても良い。
【００２８】
・すでに記録された原稿の罫線等を読取時にドロップアウトしたい場合には、その罫線の色に対応する番号をテンキー６４から指定するとともに、ドロップアウトしたい所定領域のＸＹ座標をテンキー６４から入力する構成にしても良い。具体的には、青色…１、緑色…２、黄色…３等のように、予め所定色に対応する番号をＲＡＭ３０に予め記憶させる。そして、原稿の左隅を原点としてドロップアウトしたい所定領域のＸＹ座標がテンキー６４から入力された場合には、その入力された所定領域の画データから指定された色のみをドロップアウトする。ここで、所定領域の画データから指定された色のみをドロップアウトする方法としては、読取部４０でＲＧＢ信号が出力された段階で、テンキー６４から指定された番号に対応する色の画データのみを削除することが考えられる。このように構成すれば、すでに記録された原稿の罫線等までもドロップアウトすることができるため、既存の原稿（例えば、罫線を含むＦＡＸ送信のフロントページや帳票等）であっても、送信画データ量を低減させることができるとともに、既存の原稿を変更することなく、有効に活用することができる。
【００２９】
・所定のマーク２００で示された所定領域の画データを記録するためのドロップアウトカラーを、設定キー等で設定できるように構成しても良い。このように構成すれば、読取時の光源の色を考慮して、ドロップアウトカラーを任意に設定することができる。
【００３０】
・パソコン２から通信ネットワークＴを介して受信した画データに限らず、公衆回線を介してＦＡＸ受信した画データを記録紙に記録する場合にも、前記実施形態を適用しても良い。
【００３１】
さらに、上記実施形態より把握される技術的思想について、以下にそれらの効果と共に記載する。
〔１〕請求項１に記載の原稿読取記録装置において、ドロップアウトカラーを設定する設定手段を備え、制御手段は、設定手段で設定された色をドロップアウトカラーとして記録手段に記録させる原稿読取記録装置。このように構成すれば、記録時のドロップアウトカラーを任意に設定することができる。
【００３２】
〔２〕請求項１に記載の原稿読取記録装置において、制御手段は、所定のマークは、記録手段に記録させない原稿読取記録装置。このように構成すれば、所定のマークが記録紙に記録されることはない。
【００３３】
【発明の効果】
本発明は、以上のように構成されているため、次のような効果を奏する。
請求項１に記載の発明によれば、所定領域をドロップアウトカラーで記録することができる。
【００３４】
請求項２または請求項３に記載の発明によれば、所定領域をドロップアウトして読み取ることができる。
特に、請求項３に記載の発明によれば、読取時のドロップアウトする色を任意に指定することができる。
【図面の簡単な説明】
【図１】通信ネットワーク及び複合機の構成を示すブロック図。
【図２】画データを複合機で記録紙に記録するときの動作を示すフローチャート。
【図３】所定のマークを付した画データを示す説明図。
【図４】所定領域をドロップアウトカラーで記録した記録紙を示す説明図。
【図５】原稿を読取部で読み取るときの動作を示すフローチャート。
【図６】受信側で受信画データを記録した記録紙を示す説明図。
【符号の説明】
１…原稿読取記録装置としての複合機、１０…制御手段を構成するＭＰＵ、２０…制御手段を構成するＲＯＭ、３０…制御手段を構成するＲＡＭ、４０…読取手段としての読取部、５０…記録手段としての記録部、６４…入力手段、指定手段及び設定手段としてのテンキー、１００…受信手段を構成するモデム、１１０…受信手段を構成するＮＣＵ、１２０…受信手段としてのインターフェース、２００…マーク。
【図１】
2004023529.tif 000003
【図２】
2004023529.tif 000004
【図３】
2004023529.tif 000005
【図４】
2004023529.tif 000006
【図５】
2004023529.tif 000007
【図６】
2004023529.tif 000008